(57)【要約】【課題】本発明はネックレス等の小さい留め金具であって環状鎖又は環状紐４の両端に用いる留め金具であって、一端の雌部材５の大径入口から他端の雄部材６を案内挿入し易く、挿入するだけで両部材５，６を係合接続し、かつ雄部材６を指で挟持して引抜くのみで容易に分離し易く使い易い簡便なネックレス等の留め金具を得ることを目的とする。【解決手段】截頭錐管１の大径開口端１’から小径開口端１”に向って挿入する開閉腕２，２の先端部をＶ又はＵ形常開弾性体３の開口部３’，３’に接続し、上記開閉腕２，２の開閉により上記弾性体３の開口部３’，３’を開閉し、該開口部３’，３’を上記小径開口端１”に着脱自在に係合させ、環状鎖又は環状紐４の一端を上記錐管１に、他端を上記開閉腕２に接続してなるネックレス等の留め金具。【選択図】図４
2007105139.tif 000002
【特許請求の範囲】
【請求項１】
截頭錐管の大径開口端から小径開口端に向って挿入する開閉腕の先端部をＶ又はＵ形常開弾性体の開口部に接続し、
上記開閉腕の開閉により上記弾性体の開口部を開閉し、該開口部を上記小径開口端に着脱自在に係合させ、
環状鎖又は環状紐の一端を上記錐管に、他端を上記開閉腕に接続してなるネックレス等の留め金具。
【請求項２】
上記開閉腕が縦割り截頭錐形である請求項１記載のネックレス等の留め金具。
【請求項３】
上記常開弾性体が上記開閉腕の開閉によって開閉する縦割り常開弾性体である請求項１又は２記載のネックレス等の留め金具。
【発明の詳細な説明】
【技術分野】
【０００１】
本発明は首の後ろで着脱するネックレス等の留め金具に関するものである。
【背景技術】
【０００２】
従来、ネックレス（首飾り）は環状鎖又は環状紐の両端を首の後ろで着脱する小さい留め金具が用いられた。
【０００３】
上記留め金具は一方の開閉環に他方の環を挿通するものが一般的であるが、開閉環の開閉部を操作するのに熟練を要した。
【０００４】
そこで一方の金具に凹設した円筒孔内に弾性変形可能な１対の挿入脚片を挿入し、該脚片の先端に係止爪部を形成し、円孔底に形成した拡径部に該係止爪部を弾力によって係合し、弾力に抗して係合を解除する留め金具が開発された。
【０００５】
この留め金具は円筒孔であって孔径が一定であるため上記脚片の挿入案内面が無いため挿入に熟練を要し、かつ分離時に係止爪部を孔径に縮小させるための係止解除案内部材を上記拡径部に摺動自在に配設する必要があり、構造が複雑であった（例えば特許文献１）。
【０００６】
又円筒形の雌部材内に屈曲バネを挿入し、雌部材入口に凸部を設け、上記バネに凸部に係合する凹部を形成し、バネの力に抗して押しボタンを押して雌部材と屈曲バネを分離する留め金具が開発されている（例えば特許文献２）。
【０００７】
しかし上記雌部材も円筒形入口に挿入案内が無いため屈曲バネの挿入が困難で熟練を要し、かつ挿入後屈曲バネを中心線の回りに回動して凹凸部を符合させる必要があるため安全容易な係合を行い難いという問題があった。
【０００８】
【特許文献１】特開平８−５６７１８号
【特許文献２】特開平８−２５６８１０号
【発明の開示】
【発明が解決しようとする課題】
【０００９】
本発明はネックレス等の小さい留め金具であって環状鎖又は環状紐の両端に用いる留め金具であって、一端の雌部材の大径入口から他端の雄部材を案内挿入し易く、挿入するだけで両部材を係合接続し、
かつ雄部材を指で挟持して引抜くのみで容易に分離し易く使い易い簡便なネックレス等の留め金具を得ることを目的とする。
【課題を解決するための手段】
【００１０】
上記の目的を達成するため本発明は
第１に截頭錐管の大径開口端から小径開口端に向って挿入する開閉腕の先端部をＶ又はＵ形常開弾性体の開口部に接続し、上記開閉腕の開閉により上記弾性体の開口部を開閉し、該開口部を上記小径開口端に着脱自在に係合させ、環状鎖又は環状紐の一端を上記錐管に、他端を上記開閉腕に接続してなるネックレス等の留め金具、
第２に、上記開閉腕が縦割り截頭錐形である上記第１発明記載のネックレス等の留め金具、
第３に上記常開弾性体が上記開閉腕の開閉によって開閉する縦割り常開弾性体である上記第１又は第２発明記載のネックレス等の留め金具、
によって構成される。
【００１１】
従って開閉腕の開閉端を挟持し、これを截頭錐管の大径開口端から小径開口端に向って截頭錐管内に挿入すると、上記弾性体がその力に抗して縮径し、上記錐管の小径開口端から外側に露出し、その状態で開閉腕を上記弾性体の力で開くと該弾性体は小径開口端の外側に引掛って（係合して）、上記錐管と開閉腕とは係合する。
【００１２】
又開口腕をさらに挟持すると開口腕は閉じ上記弾性体も弾力性に抗して閉じるから該弾性体は縮径して上記係合は外れ小径開口端の外側から内側に通過させることができ、さらに開閉腕を上記錐管から大径開口端側に引抜いて分離することができる。
【発明の効果】
【００１３】
本発明は上述のように構成したので開閉腕を指で挟圧することにより、上記弾性体の力に抗してこれを縮径し、大径開口端から挿入し易く小径開口端の外に出し、挟圧を解除することにより上記弾性体をその弾力によって拡径して小径開口端に引掛けて容易に上記錐体と開閉腕とを係合し、逆の動作によって該係合を外して上記錐体と開閉腕とを容易に分離し得る効果がある。
【発明を実施するための最良の形態】
【００１４】
環状鎖又は環状紐４の一端４’に截頭円錐管１を接続して雌部材５とし、他端に縦割り截頭円錐形の開閉腕２，２（図１（イ）（ロ）図）の一方の腕２を接続し、両腕２，２の先端をＶ又はＵ形常開弾性体３（屈曲発条）のそれぞれ開口部３’，３’に接続し、両開口部３’，３’の外側に引掛り３”，３”を突設して雄部材６を形成する。
【００１５】
上記縦割り間隔ｔは図１（イ）図に示すように両腕２，２の先端にゆくに従って狭くなる。
【００１６】
上記弾性体３にも、その開口部３’，３’から先端に向って上記間隔ｔの延長縦割りが形成され、該弾性体３の弾力によって開口部３’，３’を開く（常開する）。
【００１７】
又上記開閉腕２，２も上記弾性体３の弾力によって縦割り間隔ｔ及び開閉腕２，２を常開している。
【００１８】
従って該開閉腕２，２を指で対向方向に挟圧すると両腕２，２は図１（イ）図から図２に示すように縮径され、上記弾性体３の開口部３’，３’も同様に縮径するから、該開口部３’，３’の外径部分３”，３”（引掛り）が上記円錐管１の小径開口端１”に形成した内向フランジ７，７の内側に縮径し、該フランジ７，７の外側に挿通する。
【００１９】
その状態で開閉腕２，２の指による対向方向挟圧を解放すると、上記弾性体３はその力で該弾性体３の開口部３’，３’及び開閉腕２，２を開くから外径部分（引掛り）３”，３”が上記フランジ７，７の外側に引掛り（係合し）、図３（イ）図に示すように雌雄部材５，６は係合し、環状鎖又は環状紐４の両端部４’，４’を両部材５，６で留めてネックレスを首に装着することができる。
【００２０】
首から上記ネックレスを外すときは、開閉腕２，２の外端（開口端）を指で摘み、該腕２，２を対向方向に挟圧するだけで上記弾性体３の開口部３’，３’が図３（イ）図位置から図２位置にフランジ７，７内に縮径し、これを外側に牽引することによって図１（イ）図のように雌雄部材５，６は分離し、上記環状鎖又は環状紐４によるネックレスを首から離すことができる。
【００２１】
上記弾性体３の開口部３’，３’は図３（ロ）図に示すように案内傾斜面３”ａ，３”ａとすることによりフランジ７，７との摺動分離を行うことができる。
【００２２】
尚図４中８は飾りである。
【産業上の利用可能性】
【００２３】
本発明では上記雌部材５が截頭錐管１を主材とし、大径開口端１’の内径が拡大しているためこれに開閉腕２，２の先端部を挿入するに当り該先端部は上記雌部材５内に挿入し易く、挿入後上記錐管１の内面に案内されて小径開口端１”に雄部材６の先端部（上記常開弾性体３）を確実に係合し、かつ開閉腕２，２を指で挟圧するだけで両部材５，６を容易に分離させることができる。
【図面の簡単な説明】
【００２４】
【図１】（イ）図は本発明のネックレス等の留め金具を示す一部切欠側面図、（ロ）図は（イ）図に示す開閉腕の端面図である。
【図２】上記常開弾性体の上記錐管通過状態の側面図である。
【図３】（イ）図は係合状態の側面図、（ロ）図は上記弾性体の他例の側面図である。
【図４】ネックレス等の留め金具の実施状態の斜視図である。
【符号の説明】
【００２５】
１          截頭錐管
１’        大径開口端
１”        小径開口端
２          開閉腕
３          Ｖ又はＵ形常開弾性体
３’        開口部
４          環状鎖又は環状紐
【図１】
2007105139.tif 000003
【図２】
2007105139.tif 000004
【図３】
2007105139.tif 000005
【図４】
2007105139.tif 000006